(57)【要約】【課題】鋼材と木質材とを組み合わせて簡単に複合化するとともに、根太等を支えることが可能な複合受け部材を提供する。【解決手段】Ｈ型鋼１と木質材２とを複合させてなる受け部材であって、該Ｈ型鋼のフランジの一方の上面１１に上記フランジ１１と同形で肉厚の木質材２を載置して固定するとともに、上記木質材２の一側面または、両側面の厚さ方向には被受け材６の端部６１が嵌入する凹溝５が垂設されたことを特徴とする複合受け部材。【選択図】図１
2006169802.tif 000002
【特許請求の範囲】
【請求項１】
Ｈ型鋼と木質材とを複合させてなる受け部材であって、該Ｈ型鋼のフランジの一方の上面に上記フランジと同形で肉厚の木質材を載置して固定するとともに、上記木質材の１側面または、両側面の厚さ方向には被受け材の端部が嵌入する凹溝が垂設されたことを特徴とする複合受け部材。
【請求項２】
上記Ｈ型鋼のフランジの上面に固定用ピンを突設するとともに、上記木質材に穿たれた貫入孔に上記固定用ピンが貫入、固定されてなる請求項１に記載の複合受け部材。
【請求項３】
上記被受け材が根太である請求項１に記載の複合受け部材。
【請求項４】
上記被受け材が梁である請求項１に記載の複合受け部材。
【発明の詳細な説明】
【技術分野】
【０００１】
本発明は、受け部材に関する。さらに詳しくは、鋼材と木質材とを組み合わせてなる複合受け部材に関する。
【背景技術】
【０００２】
従来、鋼材と木質材とを組み合わせた複合建築材料は公知であり、例えば、下記特許文献が知られている。
【特許文献１】特開平８−２８４３１０号公報（第１−４頁、第１図、第５図）
【発明の開示】
【発明が解決しようとする課題】
【０００３】
上記特許文献１には、その第１図から明らかなように、Ｈ型鋼の上下フランジの一方または両方を溝形断面の開口部とするとともに、開口側に向けて徐々に縮小するこの開口部に木質材を加圧嵌合された複合梁材が開示されている。この複合梁材は特許文献１の図５に示されているように、根太を釘打ちされ、従来の木質部材どうしの釘打ちと同様に使用することができる。しかしながら、上記複合梁材は、フランジの溝形開口部への加工、さらに形成された上記溝形開口部への木質材の加圧嵌合等、金属、木質材の加工等種々の加工を必要とするため、手間がかかり、製造コストが高くなるという問題がある。本発明はこのような問題を解決して、鋼材と木質材とを組み合わせて簡単に複合化できるとともに、根太等を支えることが可能な複合受け部材を提供することをその課題とする。
【課題を解決するための手段】
【０００４】
上記課題を解決するために、本発明においては、つぎのような技術的手段を講じている。すなわち、本発明によれば、Ｈ型鋼と木質材とを複合させてなる受け部材であって、該Ｈ型鋼のフランジの一方の上面に上記フランジと同形で肉厚の木質材を載置して固定するとともに、上記木質材の厚さ方向には被受け材の端部が嵌入する凹溝が垂設されたことを特徴とする複合受け部材が提供される。
【０００５】
上記Ｈ型鋼のフランジの上面と木質材との固定方法は、とくに限定されないが、上記フランジ上面に固定用ピンを溶接等により突設し、上記木質材に穿たれた貫入孔にこのピンが貫入、固定されることが好ましい。上記被受け材は好ましくは根太とされる。土間に束を立設し、この束に、本発明にかかる複合受け部材を直接、あるいは束の上に架け渡された構造材に間接的に釘等で固定すれば大引として使用される。すなわち、上記のようにして束に載置、固定された２本の複合受け部材の凹溝間に根太の両端部を嵌入するとともに根太を架設し、架設された根太に合板を釘打ち固定すれば、床下地とすることができる。
【０００６】
上記被受け材が好ましくは梁とされる。上記束に替えて、本柱、間柱に上記と同様にして本発明にかかる複合受け部材を載置、固定すれば梁として使用される。すなわち、梁とされた上記複合受け部材の凹溝に根太の両端部を嵌入し、２本の複合受け部材間に根太を架設するとともに、架設された根太に、例えば天井パネルを取り付ければ、そのまま、天井とすることができる。
【発明の効果】
【０００７】
請求項１に記載の発明は上記のとおりであり、Ｈ型鋼のフランジの一方の上面に載置、固定された木質材の一側面または、両側面の厚さ方向には被受け材の端部が嵌入する凹溝が垂設されているため、例えば、根太の端部が上記凹溝にタイトに嵌入され、Ｈ型鋼の上面フランジによってしっかりと支持される。したがって、根太を複数の複合受け部材の間に簡単に、作業性よく架設することができる。
【０００８】
上記Ｈ型鋼のフランジの上面に固定用ピンを突設するとともに、上記木質材に穿たれた貫入孔にこの固定用ピンが貫入、固定されてなるため、簡単な作業でＨ型鋼と木質材とを複合化することができる。
【０００９】
上記被受け材を根太とすることにより、簡単に、作業性よく床下地を施工することができる。また、上記被受け材を梁とすることにより、簡単に、作業性よく天井を施工することができる。
【発明を実施するための最良の形態】
【００１０】
以下、本発明の実施形態について図面を参照して、詳細に説明する。図１は、本発明にかかる複合受け部材Ａを示す分解斜視図であり、図２は、上記複合受け部材Ａを示す正面図である。図１、図２からよくわかるように、上記複合受け部材ＡはＨ型鋼１と木質材２とを複合させてなり、木質材２は、Ｈ型鋼１の上面フランジ１１と同形で肉厚とされる。上記Ｈ型鋼１の上面フランジ１１には固定用ピン３が溶接して設けられ、この固定用ピン３は図２に示すように木質材２に穿たれた貫入孔２１に貫入、固定される。Ｈ型鋼１の下面フランジ１２には上記複合受け部材Ａを構造材あるいは躯体に固定するための釘孔４が設けられている。
【００１１】
木質材２の一側面または、両側面の厚さ方向には被受け材の端部が嵌入する凹溝５が垂設されているが、この凹溝５の幅ｄ１は、図３に示す根太等の被受け材６の端部の幅ｄ２と略同等か、それよりもやや狭いものとされる。図３は、土間９に立設された束８に構造材７を架け渡し、この構造材７に釘固定された本発明にかかる複合受け部材Ａを用いて根太等の被受け材６を架設した状態を示す部分斜視図である。上記したように、凹溝５の幅ｄ１は、根太等の被受け材６の端部６１の幅ｄ２と略同等か、それよりもやや狭いものとされているため、端部６１は上記凹溝５にタイトに嵌入されるとともに、端部６１の下面は上面フランジ１１によってしっかりと支持される。このようにしてしっかりと架設された根太等の被受け材６に合板（図示せず）を釘打ち固定すれば、床下地を簡単に、作業性よく施工することができる。
【００１２】
なお、上記は本発明の複合受け部材Ａを構造材７を介して間接的に束８に固定した場合を示したが、釘孔４を介して直接束８に釘打ち固定してもよい。また、束８を間柱、本柱等に置き換えて梁としても使用可能である。さらに、大引、梁等横置きのみならず、縦置きして凹溝に桟を架設して用いる等、種々の用途に利用可能であり、特許請求の範囲を逸脱しない限り、いずれも本発明の技術的範囲に含まれる。
【図面の簡単な説明】
【００１３】
【図１】本発明にかかる複合受け部材を示す分解斜視図である。
【図２】上記複合受け部材を示す正面図である。
【図３】本発明にかかる複合受け部材を大引として用い根太を架設した状態を示す部  分斜視図である。
【符号の説明】
【００１４】
Ａ          本発明にかかる複合受け部材
１          Ｈ型鋼
１１        上面フランジ
１２        下面フランジ
２          木質材
２１        貫入孔
３          固定用ピン
４          釘孔
５          凹溝
６          根太等の被受け材
６１        被受け材の端部
７          構造材
８          束
９          土間
【図１】
2006169802.tif 000003
【図２】
2006169802.tif 000004
【図３】
2006169802.tif 000005